(57)【要約】【課題】指定された記録紙が印刷中に用紙切れになり、代替用紙のサイズや向きに合わせて画像を回転させる場合であっても、ユーザが扱いやすい印刷物が得られるようにする。【解決手段】印刷ジョブの実行中に、記録紙設定部によって新たな記録紙のサイズ及び向きが設定されると（Ｓ９）、綴じ方向設定部が、当該新たなサイズ及び向きの記録紙に対して、それまで設定されていたサイズ及び向きの記録紙と同一の綴じ方向を設定すると共に（Ｓ１０）、画像回転処理手段が、上記画像データを、その上部が当該新たに設定された綴じ方向側に向くように回転させる（Ｓ１２）。【選択図】図３
2008153862.tif 000002
【特許請求の範囲】
【請求項１】
画像データを取得する画像データ取得手段と、
ユーザからの指示が示す位置に綴じ方向を設定する綴じ方向設定手段と、
記録紙のサイズ及び向きを設定する記録紙設定手段と、
前記記録紙設定手段によって設定された前記記録紙のサイズ及び向きに合わせて、前記画像データ取得手段によって取得された画像データを回転させる画像回転処理手段と、
前記画像回転処理手段によって回転された画像データを、前記記録紙設定手段によって設定された記録紙のサイズ及び向きの記録紙に印刷する印刷手段とを備え、
印刷ジョブの実行中に、前記記録紙設定手段によって新たな記録紙のサイズ及び向きが設定された場合、前記綴じ方向設定手段が、当該新たなサイズ及び向きの記録紙に対して、それまで設定されていたサイズ及び向きの記録紙と同一の綴じ方向を設定し、前記画像回転処理手段は、前記画像データを、その上部が当該新たに設定された綴じ方向側に向くように回転させる画像形成装置。
【請求項２】
ユーザからの操作指示が入力される操作指示入力手段を更に備え、
前記記録紙設定手段は、印刷ジョブの実行中に、前記操作指示入力手段に新たな記録紙のサイズ及び向きが前記操作指示としてユーザから入力された場合、当該入力されたサイズ及び向きを、前記新たな記録紙のサイズ及び向きとして設定する請求項１に記載の画像形成装置。
【請求項３】
前記記録紙設定手段は、印刷ジョブの実行中に、前記記録紙設定手段によって設定されたサイズ及び向きの記録紙への前記印刷手段による印刷が不可能となった場合に、前記画像回転処理手段によって回転された画像データの印刷が可能な別の記録紙サイズ及び向きを、前記新たな記録紙のサイズ及び向きとして設定する請求項１に記載の画像形成装置。
【請求項４】
印刷ジョブの実行中に、前記記録紙設定手段によって異なる記録紙サイズが設定された場合、前記綴じ方向設定手段は、それまで設定されていたサイズ及び向きの記録紙と同一の綴じ方向を設定すると共に、前記画像回転処理手段は、前記回転処理後の画像データの端部を、当該設定した綴じ方向まで移動させる請求項１乃至請求項３のいずれかに記載の画像形成装置。
【発明の詳細な説明】
【技術分野】
【０００１】
本発明は、画像データに基づく画像を記録紙に印刷する場合における綴じ方向の設定に関する。
【背景技術】
【０００２】
従来から、ユーザによって指定されたサイズ及び向きの記録紙への印刷中に、用紙切れが発生した場合には、代替用紙に切り換えて印刷を続行し、代替用紙のサイズや大きさに合わせて印刷の対象となる画像を回転させる画像形成装置が提案されている。この画像形成装置によれば、指定された記録紙が用紙切れになっても、印刷ジョブが中断されることなく、当初の予定通りの時間で代替用紙の印刷物を得ることができる。また、記録紙に対する画像の向きが異なる画像が混在する場合であっても、読みやすい印刷物が得られる印刷装置として、当該各画像の向きを記録紙の綴じ方向に揃えて回転させる印刷装置が提案されている（下記特許文献１）。
【特許文献１】特開２００６−３５５２９号公報
【発明の開示】
【発明が解決しようとする課題】
【０００３】
しかしながら、上記画像形成装置のように、指定された記録紙が用紙切れになった場合に、代替用紙のサイズや向きに合わせて画像を回転させてしまうと、ユーザは各記録紙を綴じようとしても、各記録紙に形成された画像の向きが統一されておらず見辛いため、各記録紙の向きを変える作業を行わねばならず不便である。また、上記特許文献１に示される印刷装置は、用紙の種類が変更されて綴じ方向が変更されると、変更された綴じ方向に合わせて画像の向きを回転させてしまうため、この印刷装置も、印刷物の各用紙の綴じ方向の変更により、各記録紙の向きを変える作業を強いられる不便さを解消できない。
【０００４】
本発明は、上記の問題を解決するためになされたもので、指定された記録紙が印刷中に用紙切れになり、代替用紙のサイズや向きに合わせて画像を回転させる場合であっても、ユーザが扱いやすい印刷物が得られるようにすることを目的とする。
【課題を解決するための手段】
【０００５】
本発明の請求項１に記載の発明は、画像データを取得する画像データ取得手段と、
ユーザからの指示が示す位置に綴じ方向を設定する綴じ方向設定手段と、
記録紙のサイズ及び向きを設定する記録紙設定手段と、
前記記録紙設定手段によって設定された前記記録紙のサイズ及び向きに合わせて、前記画像データ取得手段によって取得された画像データを回転させる画像回転処理手段と、
前記画像回転処理手段によって回転された画像データを、前記記録紙設定手段によって設定された記録紙のサイズ及び向きの記録紙に印刷する印刷手段とを備え、
印刷ジョブの実行中に、前記記録紙設定手段によって新たな記録紙のサイズ及び向きが設定された場合、前記綴じ方向設定手段が、当該新たなサイズ及び向きの記録紙に対して、それまで設定されていたサイズ及び向きの記録紙と同一の綴じ方向を設定し、前記画像回転処理手段は、前記画像データを、その上部が当該新たに設定された綴じ方向側に向くように回転させる画像形成装置である。
【０００６】
この構成によれば、印刷ジョブの実行中に、記録紙設定手段によって新たな記録紙のサイズ及び向きが設定されると、綴じ方向設定手段が、当該新たなサイズ及び向きの記録紙に対して、それまで設定されていたサイズ及び向きの記録紙と同一の綴じ方向を設定すると共に、画像回転処理手段が、上記画像データを、その上部が当該新たに設定された綴じ方向側に向くように回転させるので、印刷手段によって印刷される印刷物は、画像形成装置から排出された状態の各記録紙をそのまま綴じた場合であっても、各記録紙上に形成された画像がユーザにとって見やすい方向となる。そのため、本願請求項１に記載の発明によれば、ユーザが扱いやすい印刷物が得られる。
【０００７】
また、請求項２に記載の発明は、請求項１に記載の画像形成装置であって、ユーザからの操作指示が入力される操作指示入力手段を更に備え、
前記記録紙設定手段は、印刷ジョブの実行中に、前記操作指示入力手段に新たな記録紙のサイズ及び向きが前記操作指示としてユーザから入力された場合、当該入力されたサイズ及び向きを、前記新たな記録紙のサイズ及び向きとして設定するものである。
【０００８】
この構成によれば、記録紙設定手段は、印刷ジョブの実行中に操作指示入力手段にユーザから新たに入力された記録紙のサイズ及び向きを、印刷手段による印刷に用いられる新たな記録紙のサイズ及び向きとして設定するので、印刷ジョブの実行中にユーザが変更した新たな記録紙サイズ及び向きに対応して、印刷物の各記録紙上に形成される画像を、ユーザにとって見やすい方向に向けた状態として形成することができる。
【０００９】
また、請求項３に記載の発明は、請求項１に記載の画像形成装置であって、前記記録紙設定手段は、印刷ジョブの実行中に、前記記録紙設定手段によって設定されたサイズ及び向きの記録紙への前記印刷手段による印刷が不可能となった場合に、前記画像回転処理手段によって回転された画像データの印刷が可能な別の記録紙サイズ及び向きを、前記新たな記録紙のサイズ及び向きとして設定するものである。
【００１０】
この構成によれば、印刷ジョブの実行中に、その時点で設定されているサイズ及び向きの記録紙への印刷が不可能となった場合、記録紙設定手段が、上記回転処理後の画像データの印刷が可能な別の記録紙サイズ及び向きを、印刷手段による印刷に用いられる新たな記録紙サイズ及び向きとして設定するので、当該新たな記録紙サイズ及び向きに合わせて、印刷物の各記録紙上に形成される画像を、ユーザにとって見やすい方向に向けた状態として形成することができる。
【００１１】
また、請求項４に記載の発明は、請求項１乃至請求項３のいずれかに記載の画像形成装置であって、印刷ジョブの実行中に、前記記録紙設定手段によって異なる記録紙サイズが設定された場合、前記綴じ方向設定手段は、それまで設定されていたサイズ及び向きの記録紙と同一の綴じ方向を設定すると共に、前記画像回転処理手段は、前記回転処理後の画像データの端部を、当該設定した綴じ方向まで移動させるものである。
【００１２】
この構成によれば、回転処理手段が、新たなサイズ及び向きの記録紙に対して設定された綴じ方向まで、回転処理後の画像データの端部を移動させるので、ユーザが実際に各記録紙を綴じたときに、綴じ部分に近い位置に画像が形成されることになり、ユーザにとって見やすい印刷物が得られる。また、例えば、上記変更後の記録紙サイズが、当初のサイズよりも大きい場合には、記録紙における余白部分は綴じ部分とは反対側に形成されるので、ユーザは、この余白部分を切り取ることによって、形成されている画像に影響を与えることなく、各記録紙の端部を揃えることも可能になる。
【発明の効果】
【００１３】
請求項１に記載の発明によれば、当初から指定されていた記録紙が用紙切れになり、サイズや向きの異なる代替用紙を用いて印刷を続行する場合であっても、各記録紙上に形成された画像がユーザにとって見やすい方向に形成され、ユーザにとって扱いやすい印刷物を得ることができる。
【００１４】
請求項２に記載の発明によれば、印刷ジョブの実行中にユーザが変更した新たな記録紙サイズ及び向きに合わせて、印刷物の各記録紙上に形成される画像を、ユーザにとって見やすい方向に向けた状態として形成することができる。
【００１５】
請求項３に記載の発明によれば、記録紙設定手段が設定した新たな記録紙サイズ及び向きに合わせて、印刷物の各記録紙上に形成される画像を、ユーザにとって見やすい方向に向けた状態として形成することができる。
【００１６】
請求項４に記載の発明によれば、ユーザが実際に各記録紙を綴じたときに、綴じ部分に近い位置に画像が形成されることになり、ユーザにとって見やすい印刷物が得られる。また、例えば、上記変更後の記録紙サイズが、当初のサイズよりも大きい場合には、記録紙における余白部分は綴じ部分とは反対側に形成されるので、ユーザは、この余白部分を切り取ることによって、形成されている画像に影響を与えることなく、各記録紙の端部を揃えることも可能になる。
【発明を実施するための最良の形態】
【００１７】
以下、本発明の一実施形態に係る画像形成装置について図面を参照して説明する。図１は複合機１の内部構成を概略的に示す側面図である。複合機１は、装置本体２と、装置本体２の左方に配設されたスタックトレイ３と、装置本体２の上部に配設された原稿読取部５と、原稿読取部５の上方に配設された原稿給送部６とを有している。
【００１８】
複合機１のフロント部には、操作部（操作手段）４７が設けられている。この操作部４７には、ユーザが印刷（出力）実行指示を入力するためのスタートキー４７１と、印刷部数等を入力するためのテンキー４７２と、各種複写動作の操作ガイド情報等を表示し、これら各種設定入力用にタッチパネル機能を有する液晶ディスプレイ等からなる表示部４７３と、表示部４７３で設定された設定内容等をリセットするリセットキー４７４と、実行中の印刷動作を停止させるためのストップキー４７５と、コピー機能、プリンタ機能、スキャナ機能及びファクシミリ機能を切り換えるための機能切換キー４７７が備えられている。
【００１９】
原稿読取部（画像取得手段の一例）５は、ＣＣＤ(Charge Coupled Device)センサ及び露光ランプ等からなるスキャナ部５１と、ガラス等の透明部材により構成された原稿台５２及び原稿読取スリット５３とを備える。スキャナ部５１は、図略の駆動部によって移動可能に構成され、原稿台５２に載置された原稿を読み取るときは、原稿台５２に対向する位置で原稿面に沿って移動され、原稿画像を走査しつつ取得した画像データを制御部１００（図２）へ出力する。また、スキャナ部５１は、原稿給送部６により給送された原稿を読み取るときは、原稿読取スリット５３と対向する位置に移動され、原稿読取スリット５３を介して原稿給送部６による原稿の搬送動作と同期して原稿の画像を取得し、その画像データを制御部１００へ出力する。スキャナ部５１は、出力又は保存用の画像を高精度に読み取る。
【００２０】
原稿給送部６は、原稿を載置するための原稿載置部６１と、画像読み取り済みの原稿を排出するための原稿排出部６２と、原稿載置部６１に載置された原稿を１枚ずつ繰り出して原稿読取スリット５３に対向する位置へ搬送し、原稿排出部６２へ排出するための給紙ローラ（図略）、搬送ローラ（図略）等からなる原稿搬送機構６３を備える。原稿搬送機構６３は、さらに原稿を表裏反転させて原稿読取スリット５３と対向する位置へ再搬送する用紙反転機構（図略）を備え、原稿読取スリット５３を介してスキャナ部５１から原稿の両面の画像を読取可能にしている。
【００２１】
また、原稿給送部６は、その前面側が上方に移動可能となるように装置本体２に対して回動自在に設けられている。原稿給送部６の前面側を上方に移動させて原稿台５２上面を開放することにより、原稿台５２上面の原稿載置位置に読み取り原稿、例えば見開き状態にされた書籍等を操作者がセットできるようになっている。
【００２２】
装置本体２は、複数の給紙カセット４６１と、給紙カセット４６１から記録紙を１枚ずつ繰り出して記録部４０へ搬送する給紙ローラ４６２と、給紙カセット４６１から搬送されてきた記録紙に画像を形成する記録部４０とを備える。
【００２３】
記録部（印刷手段）４０は、スキャナ部５１で取得された画像データに基づくレーザ光等を生成して感光体ドラム４３を露光する光学ユニット４２と、感光体ドラム４３上にトナー像を形成する現像部４４と、感光体ドラム４３上のトナー像を記録紙に転写する転写部４１と、トナー像が転写された記録紙を加熱してトナー像を記録紙に定着させる定着部４５と、記録部４０内の用紙搬送路中に設けられ、記録紙をスタックトレイ３又は排出トレイ４８まで搬送する搬送ローラ４６３，４６４等とを備える。
【００２４】
記録紙の両面に画像を形成する場合は、記録部４０で記録紙の一方の面に画像を形成した後、この記録紙を排出トレイ４８側の搬送ローラ４６３にニップされた状態とする。この状態で搬送ローラ４６３を反転させて記録紙をスイッチバックさせ、記録紙を用紙搬送路Ｌに送って記録部４０の上流域に再度搬送し、記録部４０により他方の面に画像を形成した後、記録紙をスタックトレイ３又は排出トレイ４８に排出する。
【００２５】
図２は複合機１の概略構成を示す機能ブロック図である。複合機１には、装置全体の動作制御を司る制御部１００が備えられている。この制御部１００には、スキャナ部５１と、用紙搬送部１３１と、記録部４０とが接続されている。なお、スキャナ部５１は、露光ランプ５１１及びＣＣＤ５１２等を有する。また、制御部１００には、スキャナ部５１で読み取られた文書データ等が一時的に保存される画像メモリ１４０と、大量の文書データを保存可能な記憶容量を有する大容量のＨＤＤ（記憶装置）１５０とが接続されている。
【００２６】
画像処理部１６０は、スキャナ部５１による原稿読み取り時には、スキャナ部５１から出力されるアナログ画像信号をデジタル画像に変換し、画質を向上させる画像処理を施す。画像処理部１６０は、当該画像データが印刷される場合は、出力状態に応じた画像処理を施し、例えばレーザ露光の場合には、レーザ信号にアナログ変調する。このアナログ変調された信号に基づいて記録部４０でプリントアウトされる。また、スキャナ部５１によって読み取った画像データを、ＨＤＤ１５０に格納する場合には、画像処理部１６０は、画質向上のための画像処理後のデータを更に圧縮画像に変換し、画像メモリ１４０に書き込む。制御部１００は、画像メモリ１４０に書き込まれた圧縮画像を、文書管理の対象となるファイルデータとしてＨＤＤ１５０に格納する。また、登録文書のプリントアウト時には、ＨＤＤ１５０又はネットワーク上の各コンピュータから、プリントアウト対象のファイルデータ（圧縮画像）が画像メモリ１４０に書き出され、画像処理部１６０は、当該圧縮されたファイルデータを伸張処理し、上記出力状態に応じた画像処理を施した後、上記のように露光用のレーザ信号とする。
【００２７】
さらに、画像処理部１６０は、画像回転処理部１６１及び綴じ方向設定部１６２として機能する。画像回転処理部（画像回転処理手段）１６１は、記録紙設定部１０６によって設定された記録紙のサイズ及び向きに合わせて、すなわち、当該サイズ及び向きの記録紙における印刷可能領域内に、スキャナ部５１によって読み取られた各原稿毎の画像データがそれぞれ収まるように、当該スキャナ部５１によって読み取られた原稿画像のデータ（Ｉ／Ｆ部２１０及びプリンタコントローラ１０３によって取得されたネットワーク上の外部コンピュータから送信されてきた画像データであってもよい。（この場合、Ｉ／Ｆ部２１０及びプリンタコントローラ１０３が画像データ取得手段の一例となる）以下、同じ）を回転させる。また、画像回転処理部１６１は、綴じ方向設定部１６２によって設定された綴じ方向に合わせて、上記原稿画像データの向きを回転させる。
【００２８】
綴じ方向設定部（綴じ方向設定手段）１６２は、スキャナ部５１によって読み取られた原稿画像のデータに対して、ユーザによって操作部４７に入力された綴じ方向の位置を指定する指示に従って、綴じ方向を設定するものである。また、綴じ方向設定部１６２は、印刷ジョブの実行中に、記録紙設定部１０６によって新たな記録紙のサイズ及び向きが設定された場合、当該新たなサイズ及び向きの記録紙に対して、それまで設定されていたサイズ及び向きの記録紙と同一の綴じ方向を設定する。
【００２９】
制御部１００は、記録紙設定部（記録紙設定手段）１０６として機能する。記録紙設定部１０６は、記録紙のサイズ及び向きを設定する。記録紙設定部１０６は、操作部４７に新たな記録紙のサイズ及び向きが操作指示としてユーザから入力されると、記録部４０による印刷に用いられる記録紙を、当該入力されたサイズ及び向きの記録紙に設定する。また、記録紙設定部１０６は、印刷ジョブの実行中に用紙切れが生じた場合には、その時点で印刷対象となっている画像データを印刷可能な別の記録紙サイズ及び向きを選択して、これを新たに設定する（すなわち、記録紙設定部１０６は、記録部４０の印刷に用いられる記録紙を、この新たに設定されたサイズ及び向きを有する記録紙に変更する）。
【００３０】
さらに、制御部１００は、複合機１が実行可能な各機能を制御するスキャナコントローラ１０１，ファクシミリコントローラ１０２，プリンタコントローラ１０３，コピーコントローラ１０４及びネットワークコントローラ１０５として機能する。
【００３１】
スキャナコントローラ１０１は、スキャナ部動作に必要な各部の動作制御を行うものである。ファクシミリコントローラ１０２は、ファクシミリ動作に必要な各部の動作制御を行うものであり、ファクシミリ通信に必要なデータの調整を行うファクシミリ通信部１７０を制御する。ファクシミリ通信部１７０には、データ送受信相手である相手先ファクシミリとの電話回線の接続を制御するＮＣＵ（Network Control Unit）が備えられている。コピーコントローラ１０４は、コピー動作に必要な各部の動作制御を行うものである。
【００３２】
プリンタコントローラ１０３は、プリンタ動作に必要な各部の動作制御を行うものである。ネットワークコントローラ１０５は、本複合機１とネットワーク上のコンピュータ、更には、インターネット上のサイトとの間で行われるデータ送受信を制御するものである。ネットワークコントローラ１０５は、上記Ｉ／Ｆ部２１０を介して外部とデータを送受信させる。
【００３３】
操作部４７は、複合機１の操作に必要な各種の指示がユーザから入力されるものである。操作部４７は、表示部４７３と、操作キー部４７０（スタートキー４７１、テンキー４７２、リセットキー４７４、ストップキー４７５、機能切換キー４７７等からなる）とを有している。
【００３４】
次に、複合機１による印刷処理について説明する。図３は複合機１によるコピー動作時の処理を示すフローチャート、図４は原稿を示す図、図５，図８乃至図１２は印刷結果である各記録紙表裏面を示す図、図６は記録紙に綴じ方向の設定位置を示す図、図７は記録紙に対する画像のレイアウトを示す図である。
【００３５】
ユーザによる操作部４７のスタートキー４７１の押下でコピー開始指示が入力されると（Ｓ１でＹＥＳ）、制御部１００は、スキャナ部５１を含む原稿読取部５に、原稿載置部６１又は原稿台５２に載置されている原稿の読み取りを行わせる（Ｓ２）。
【００３６】
そして、制御部１００は、上記コピー開始指示の入力前に、ユーザによって、コピーの印刷に用いる記録紙のサイズ及び向き（記録紙情報）が操作部４７から入力されていたか否かを判断する（Ｓ３）。
【００３７】
記録紙情報が入力されている場合には（Ｓ３でＹＥＳ）、記録紙設定部１０６は、当該指示によりユーザから指定されたサイズ及び向きの記録紙を記録部４０の印刷に用いる記録紙として設定する（Ｓ４）。例えば、ユーザにより記録紙サイズＡ４及び縦向きが指定されている場合は、当該サイズ及び向きの記録紙が収納されている給紙カセット４６１を、印刷時に記録紙を配送するカセットとして選択する。
【００３８】
また、記録紙情報が入力されていない場合には（Ｓ３でＮＯ）、記録紙設定部１０６は、デフォルトのサイズ及び向きからなる記録紙を、記録部４０の印刷に用いる記録紙として設定する（Ｓ１４）。例えば、記録紙設定部１０６は、スキャナ部５１によって読み取られた原稿画像のデータを回転させることなく（向きを変更することなく）、当該画像データに基づく画像の全体を印刷することができるサイズ及び向きの記録紙を判別し、この記録紙を印刷に用いる記録紙として設定する。
【００３９】
続いて、制御部１００は、上記コピー開始指示の入力前に、ユーザによって綴じ方向を設定する指示（綴じ方向情報）が操作部４７から入力されているか否かを判断する（Ｓ５）。
【００４０】
綴じ方向情報が入力されている場合は（Ｓ５でＹＥＳ）、綴じ方向設定部１６２は、上記スキャナ部５１によって読み取られた原稿画像のデータに対して、当該指示によりユーザから指定された位置に綴じ方向を設定する（Ｓ６）。例えば、図４に示すような画像が印刷された各原稿をスキャナ部５１が読み取り、これを両面コピーする場合であって、ユーザによる指定又はデフォルト設定で記録紙サイズＡ４及び縦向きが指定され、綴じ方向は、ユーザによる指定により、左綴じに指定されているとする。この場合、綴じ方向設定部１６２が、図５に示すように、画像印刷後の各記録紙のそれぞれ第１面目（表面側）における左側の長辺位置を綴じ方向として設定する。なお、綴じ方向情報が入力されていない場合は（Ｓ５でＮＯ）、綴じ方向設定部１６２は、綴じ方向を設定しない。また、第２面目（裏面側）は、第１面目（表面側）の綴じ方向位置の真裏となる位置が綴じ方向となる。そのため、第２面目（裏面側）の綴じ方向位置は、第２面目においてみれば、図５に示すように、第１面目（表面側）と対称な位置になる。このように、第２面目（裏面側）の綴じ方向位置は、第１面目（表面側）の綴じ方向位置に従って設定されるため、以下に示す本実施形態の説明においては、綴じ方向位置の設定処理については、第１面目（表面側）についての処理のみを説明する。
【００４１】
上記のように、記録紙及び綴じ方向が記録紙設定部１０６及び綴じ方向設定部１６２によって設定された後、制御部１００は、用紙搬送部１３１に上記設定されたサイズ及び向きの記録紙を給紙カセット４６１から記録部４０に向けて給紙させ、当該記録紙に対して、記録部４０に、スキャナ部５１によって読み取られた原稿画像のデータに基づく画像を印刷させる（Ｓ７）。
【００４２】
この印刷開始後（すなわち印刷ジョブの実行中に）、印刷対象となる画像データが残っているにも拘わらず、制御部１００によって、上記Ｓ４又はＳ１４で設定された記録紙の用紙切れが生じたと判定された場合は（Ｓ８でＹＥＳ）、記録紙設定部１０６は、給紙カセット４６１の中から、当該印刷対象となる画像データの印刷が可能となる代替用紙が収納されている給紙カセットを検出し、この代替用紙を印刷に用いる記録紙として設定する（Ｓ９）。なお、本実施形態では、これまでの印刷に用いられていた記録紙と同サイズ及び同じ向きの記録紙は、記録紙設定部１０６は代替用紙としては設定しないものとする。
【００４３】
続いて、綴じ方向設定部１６２は、上記新たに設定された記録紙に対しての綴じ方向の位置を、既に印刷が行われた記録紙（印刷開始当初の記録紙）と同一の位置に再設定する（Ｓ１０）。記録紙に対する第２枚目の記録紙における第１面目（表面側）を例にして説明すると、綴じ方向設定部１６２は、図６に示すように、綴じ方向位置を、既に印刷が行われた記録紙（印刷開始当初の記録紙）と同一の位置である記録紙左側辺部に設定する。すなわち、綴じ方向設定部１６２は、記録紙サイズＡ４及び横向きの記録紙に変更された後も、スタックトレイ３に載置されている状態の各記録紙について左綴じが維持されるようにしている。なお、Ｓ６で綴じ方向が設定されていない場合、綴じ方向設定部１６２は、当該Ｓ１０の処理を行わない。
【００４４】
続いて、画像回転処理部１６１は、当該代替用紙のサイズ及び向きの情報を制御部１００から取得し、印刷対象となっている画像データ（未印刷のもの）に基づく画像が、当該サイズ及び向きからなる代替用紙が有する画像印刷可能領域内（上記代替用紙のサイズ及び向きの情報から画像回転処理部１６１が算出）に収まるか否かを判断する（Ｓ１１）。そして、代替用紙の印刷可能領域に、印刷対象となっている画像データに基づく画像が収まらない場合（Ｓ１１でＮＯ）、或いは、当該画像データを回転させることにより代替用紙の印刷可能領域に当該画像データを納めることができる場合は、画像回転処理部１６１は、上記印刷対象の画像データに基づく画像全体が当該代替用紙の画像印刷可能領域内に収まるように、この印刷対象の画像データを回転させる。但し、この場合、画像回転処理部１６１は、当該画像データの上部が、Ｓ１０で設定された綴じ方向側に向くように回転させる（Ｓ１２）。
【００４５】
例えば、図６に示すように、綴じ方向設定部１６２が、綴じ方向位置を、既に印刷が行われた記録紙と同一の記録紙左側辺部に設定した場合、画像回転処理部１６１は、図７に示すように、印刷対象となっている画像データの上部を当該綴じ方向に向けて、当該画像データを回転させる。例えば、上記Ｓ４又はＳ１４での設定内容が記録紙サイズＡ４及び縦向きであり、代替用紙のサイズがＡ４及び横向きであった場合、図７に示すように（諸条件は図５に示した例と同じとする）、画像回転処理部１６１は、上記画像データを反時計回り方向に90度回転させる。
【００４６】
これにより、１つの印刷ジョブの実行途中で代替用紙に切り換えられ、記録紙の向きが変更された場合であっても、図８に示すように、印刷物の各記録紙は、その綴じ方向が同一位置に設定され、記録紙上に形成された画像は、ユーザにとって見やすい方向に向いた状態で形成される。このため、ユーザは、扱いやすい印刷物を得ることができる。なお、図９は印刷ジョブ開始時の設定が右綴じの場合を示すものであるが、図８に示した左綴じの場合と同様の効果が得られる。
【００４７】
一方、代替用紙の印刷可能領域に、印刷対象となっている画像データに基づく画像が収まる場合は（Ｓ１１でＹＥＳ）、画像回転処理部１６１は、Ｓ１２の回転処理を行わない。
【００４８】
さらに、画像回転処理部１６１は、印刷対象となる画像データに基づく画像を、Ｓ１０で設定された綴じ方向側に移動させる（Ｓ１３）。すなわち、画像回転処理部１６１は、上記回転処理後又は未回転処理の画像データの端部を、上記のように設定した綴じ方向の位置まで移動させる。なお、当該Ｓ１３の処理は、代替用紙がそれまでの記録紙とサイズが同一で、向きのみ異なる場合には不要である。
【００４９】
これにより、図１０に示すように、例えば第２枚目から、それまでの記録紙よりもサイズの大きな代替用紙に変更されたような場合でも、綴じ部分に近い位置に画像が位置することになり、ユーザにとって見やすい印刷物が得られる。また、この場合、記録紙における余白部分は綴じ部分とは反対側に形成されるので、ユーザは、この余白部分を切り取ることによって、形成されている画像に影響を与えることなく、各記録紙の端部を揃えることも可能になる。なお、図１１は右綴じの場合を示すものであり、図１０に示した印刷ジョブ開始時の設定が左綴じの場合と同様の効果が得られる。さらには、図１２に示すように、代替用紙への変更時に、画像データが回転されない場合であっても、同様の効果が得られる。
【００５０】
上記Ｓ８乃至Ｓ１３の処理は、印刷対象とされている画像データがなくなるまで続けられる（Ｓ８でＮＯ，Ｓ１５）。
【００５１】
なお、本発明は上記実施の形態の構成に限られず種々の変形が可能である。例えば、上記実施形態では、複合機１がコピー動作を行う場合を例にして説明したが、プリンタ動作を行う場合であっても、本発明の適用が可能である。図１３は、複合機１によるプリンタ動作時の処理を示すフローチャートである。図３に示したコピー動作時と同様の処理は同符号を付して説明を省略する。
【００５２】
複合機１がプリンタ動作を行う場合、ネットワーク接続されたコンピュータ等から、Ｉ／Ｆ部２１０を介してプリンタコントローラ１０３が画像データを受信すると（Ｓ２１でＹＥＳ）、この画像データに付随して送信されてきた記録紙情報に基づいて、記録紙設定部１０６が、当該指示によりユーザから指定されたサイズ及び向きの記録紙を、記録部４０の印刷に用いる記録紙として設定し（Ｓ４）、受信した画像データに付随する綴じ方向情報により綴じ方向のサイズ及び位置が指定されている場合には（Ｓ５でＹＥＳ）、綴じ方向設定部１６２が、指定されたサイズの綴じ方向を指定された位置に設定する（Ｓ６）。以降の処理は、図３に示したコピー動作時と同様である。
【００５３】
また、上記各実施形態では、印刷ジョブの実行中に用紙切れが生じた場合に代替用紙を給紙するとして説明したが、ユーザによる操作部４７の操作により、印刷ジョブの実行中に当該印刷ジョブが一次停止され、印刷に用いる記録紙がユーザにより別の記録紙に変更された場合であっても、本発明の適用が可能である。
【００５４】
また、上記各実施形態では、印刷物の各記録紙の綴じ方向を、代替用紙のサイズや向きに拘わらず同一方向となるようにしていたが、更に、印刷物となる全記録紙の綴じ位置においてステイプルを行うようにしてもよい。この場合、複合機１に後処理装置として、ステイプル機構を設け、当該綴じ位置においてのステイプルを可能にする。
【図面の簡単な説明】
【００５５】
【図１】本発明の一実施形態に係る複合機の内部構成を概略的に示す側面図である。
【図２】複合機の概略構成を示す機能ブロック原稿を示す図図である。
【図３】複合機によるコピー動作時の処理を示すフローチャートである。
【図４】原稿を示す図である。
【図５】印刷結果である各記録紙表裏面を示す図である。
【図６】記録紙に綴じ方向の設定位置を示す図である。
【図７】記録紙に対する画像のレイアウトを示す図である。
【図８】印刷結果である各記録紙表裏面を示す図である。
【図９】印刷結果である各記録紙表裏面を示す図である。
【図１０】印刷結果である各記録紙表裏面を示す図である。
【図１１】印刷結果である各記録紙表裏面を示す図である。
【図１２】印刷結果である各記録紙表裏面を示す図である。
【図１３】複合機によるプリンタ動作時の処理を示すフローチャートである。
【符号の説明】
【００５６】
１        複合機
５        原稿読取部
４０      記録部
４７      操作部
１００    制御部
１０６    記録紙設定部
１６０    画像処理部
１６１    画像回転処理部
１６２    綴じ方向設定部
１７０    ファクシミリ通信部
２１０    インタフェイス部
【図１】
2008153862.tif 000003
【図２】
2008153862.tif 000004
【図３】
2008153862.tif 000005
【図４】
2008153862.tif 000006
【図５】
2008153862.tif 000007
【図６】
2008153862.tif 000008
【図７】
2008153862.tif 000009
【図８】
2008153862.tif 000010
【図９】
2008153862.tif 000011
【図１０】
2008153862.tif 000012
【図１１】
2008153862.tif 000013
【図１２】
2008153862.tif 000014
【図１３】
2008153862.tif 000015